(57)【要約】 【課題】  寝ている髭の剃り残しがない上に短く剃り上げることができるものとする。【解決手段】  平行に並ぶ複数の外刃と、各外刃内面に接して外刃の長手方向に往復駆動される内刃とを備えた往復式の電気かみそりである。少なくとも一つの外刃を、外刃が並ぶ面に沿った方向で且つ内刃の往復動方向Ｂと斜めに交叉する方向Ｃに振動させる外刃駆動手段を備える。【選択図】  図１
2011200602.tif 000002
【特許請求の範囲】
【請求項１】
平行に並ぶ複数の外刃と、各外刃内面に接して外刃の長手方向に往復駆動される内刃とを備えている往復式の電気かみそりであって、少なくとも一つの外刃を、外刃が並ぶ面に沿った方向で且つ内刃の往復動方向と斜めに交叉する方向に振動させる外刃駆動手段を備えていることを特徴とする電気かみそり。
【請求項２】
上記外刃駆動手段は、複数の外刃を逆位相で振動させるものであることを特徴とする請求項１記載の電気かみそり。
【請求項３】
上記外刃駆動手段は、外刃の往復動方向を変更する角度調整部を有していることを特徴とする請求項１または２記載の電気かみそり。
【請求項４】
上記外刃駆動手段は、外刃の振動周波数または振動ストロークを変更することができるものであることを特徴とする請求項１〜３のいずれか１項に記載の電気かみそり。
【請求項５】
上記外刃駆動手段は、外刃を保持するスライドプレートと、該スライドプレートを外刃が並ぶ面に沿った方向で且つ内刃の往復動方向と斜めに交叉する方向にスライド自在とする固定台とからなり、外刃は内面に接する内刃の往復動に伴って振動するものであることを特徴とする請求項１または２記載の電気かみそり。
【請求項６】
外刃の振動を共振状態とするばねを備えていることを特徴とする請求項５記載の電気かみそり。
【請求項７】
内刃の往復動源が固定子と可動子とを備えるリニア振動モータであり、該リニア振動モータへの入力電流は、上記内刃の振動周波数に外刃振動周波数を重畳させたものであることを特徴とする請求項５または６記載の電気かみそり。
【発明の詳細な説明】
【技術分野】
【０００１】
本発明は、電気かみそり、殊に往復式の電気かみそりに関するものである。
【背景技術】
【０００２】
外刃の長手方向に内刃を往復動させる往復式電気かみそりにおいて、毛（髭）の導入切断効率を高めるために、外刃も微振動させるものが特許文献１に示されている。これは内刃の往復動と同方向に外刃を微振動させるものであり、外刃を肌に当てた状態で内刃の往復動方向と直交する方向に電気かみそりを動かしながら髭を剃る際、内刃の往復動方向に寝ている髭が外刃の微振動で起こされて外刃に導入され、外刃と内刃との間で切断されることになる。
【０００３】
また、上記特許文献１においては、平行並列に並ぶ複数の外刃を備えたものにおいて、隣り合う外刃は相互に逆位相で振動させることも示されている。
【先行技術文献】
【特許文献】
【０００４】
【特許文献１】特開２００７−０２９１２３号公報
【発明の概要】
【発明が解決しようとする課題】
【０００５】
上記特許文献１に示されたものでは、外刃を内刃の往復動方向に振動させるために、確かに内刃の往復動方向に寝ている髭を起こして切断することができる。しかし、外刃の刃孔から導入された髭は、外刃の刃孔の縁と内刃との間で挟み切りされるものであることから、外刃の振動周期と内刃の振動周期とが異なるものでは、内刃と外刃とが同一方向に動いている状態が存在することになり、この時は髭を根元から切断することができないために、外刃と肌の摺動から肌方向の押し付け力が弱まることもあって、短く剃り上げることができない。
【０００６】
本発明はこのような点に鑑みなされたものであって、寝ている髭の剃り残しがない上に短く剃り上げることができる電気かみそりを提供することを課題とするものである。
【課題を解決するための手段】
【０００７】
本発明は、平行に並ぶ複数の外刃と、各外刃内面に接して外刃の長手方向に往復駆動される内刃とを備えている往復式の電気かみそりであって、少なくとも一つの外刃を、外刃が並ぶ面に沿った方向で且つ内刃の往復動方向と斜めに交叉する方向に振動させる外刃駆動手段を備えていることに特徴を有している。
【０００８】
上記外刃駆動手段が複数の外刃を逆位相で振動させるものであると、肌に接する複数の外刃が髭を起こすことについてより効果的なものとなる。
【０００９】
上記外刃駆動手段が外刃の往復動方向を変更する角度調整部を有していると、髭に合わせた導入を行うことができる。
【００１０】
上記外刃駆動手段が外刃の振動周波数または振動ストロークを変更することができるものであっても、髭に合わせた導入を行うことができる。
【００１１】
上記外刃駆動手段が、外刃を保持するスライドプレートと、該スライドプレートを外刃が並ぶ面に沿った方向で且つ内刃の往復動方向と斜めに交叉する方向にスライド自在とする固定台とからなり、外刃は内面に接する内刃の往復動に伴って振動するものであると、内刃の動きを利用した外刃駆動を行うことができる。
【００１２】
外刃の振動を共振状態とするばねを備えていると、外刃の安定した振動を容易に得ることができる。
【００１３】
内刃の往復動源が固定子と可動子とを備えるリニア振動モータであり、該リニア振動モータの入力電流は、上記内刃の振動周波数に外刃振動周波数を重畳させたものであると、外刃の振動を更に安定させることができる。
【発明の効果】
【００１４】
本発明においては、外刃が並ぶ面に沿った方向で且つ内刃の往復動方向と斜めに交叉する方向に外刃を振動させるために、寝ている髭の導入性能を向上させて剃り残しを少なくすることができる上に、短く剃り上げることができる。また、全ての外刃を振動させない時には、振動する外刃と振動しない外刃とは互いに接近したり離れたりすることになり、肌に接する両外刃の上記動きは髭を起こすことについて有効に作用するために、さらに剃り残しを少なくすることができる。
【図面の簡単な説明】
【００１５】
【図１】本発明の実施の形態の一例の斜視図である。
【図２】同上の分解斜視図である。
【図３】同上の動作を示す概略平面図である。
【図４】他の実施の形態の一例の斜視図である。
【図５】同上の分解斜視図である。
【図６】同上の他例の斜視図である。
【図７】同上の入力電流のタイムチャートである。
【発明を実施するための形態】
【００１６】
本発明を実施の形態の一例に基づいて詳述すると、図面を参照しながら詳細に説明する。図１〜図３は、第１実施形態の往復式電気かみそり１を示しており、髭を剃るための刃ヘッドブロック２と、手で握るためのグリップブロック３とで構成され、グリップブロック３には電源となる電池やスイッチ等が組み込まれている。
【００１７】
刃ヘッドブロック２は、固定子と往復動自在に支持された可動子とを備えたリニア振動モータ５が収納されているヘッドケース４と、ヘッドケース４の上部に配された複数の外刃８ａ，８ｂ，８ｃと、これら外刃８ａ，８ｂ，８ｃの内面に往復摺動する内刃７ａ，７ｂ，７ｃと、保持枠１３，１４、そしてカバー２６，２６とからなるもので、ここでは平行並列に並んでいる３つの外刃８ａ，８ｂ，８ｃのうち、外側に位置する外刃８ａ，８ｃは断面アーチ状のネット刃、中央に位置する外刃８ｂは平板状の荒剃り用スリット刃として形成されている。また、ネット刃である外刃８ａ，８ｃは、刃取付け枠１０でそれぞれ保持され、スリット刃である外刃８ｂは、両端を保持部材１１でそれぞれ保持されている。カバー２６は、外刃８ａ，８ｃとスリット外刃８ｂの剃り部分を外部に露出させた状態で、その周辺部分を覆うものである。
【００１８】
外刃８ａ，８ｃに対応する内刃７ａ，７ｃ及び外刃８ｂに対応する内刃７ｂは、いずれも上記リニア振動モータ５によって外刃８ａ，８ｂ，８ｃの長手方向に往復駆動されるものであるが、上記リニア振動モータ５が有している逆位相で往復動を行う２つの可動子が夫々備える出力部１６，１６のうち、一方の出力部１６に内刃７ａが、他方の出力部１６に内刃７ｃが連結され、更に内刃７ｂと係合する突起１９ａを備えた駆動子１９が他方の出力部１６に連結される。内刃７ａ，７ｃは、出力部１６と内刃７ａ，７ｃとの間に介設したばね１７のばね力で外刃８ａ，８ｃの内面にそれぞれ押し付けられ、内刃７ｂは上記保持部材１１との間に介設したばね１２のばね力で外刃８ｂの内面に押し付けられている。
【００１９】
ヘッドケース４の上部に配される横長四角枠状の刃保持枠１３は、前記２つのネット刃である外刃８ａ，８ｃを独立にフロート可能に保持するものであり、該保持枠１３の中央に位置することになるストレート形状の保持枠１４はスリット刃である外刃８ｂをフロート可能に保持する。これら保持枠１３，１４は、図３に示すように、ヘッドケース４の上面に形成されている溝形状のスライドガイド１３０，１４０に夫々係合するガイドピン１３１，１４１を下面に備えて、スライドガイド１３０，１４０に沿った方向にスライド自在とされている。
【００２０】
ここにおいて、溝形状の上記スライドガイド１３０，１４０は、外刃が並ぶ面に沿った方向で且つ外刃８ａ，８ｂ，８ｃの長手方向（内刃７ａ，７ｂ，７ｃの往復動方向）Ｂ及び外刃８ａ，８ｂ，８ｃが並ぶ方向Ａの両者に対して交叉する方向Ｃに延びるものとして形成されている。
【００２１】
また、ヘッドケース４の上部の一端には、小型の電動モータ２２が収納されており、この電動モータ２２の出力軸には歯車２３が取り付けられており、更に歯車２３にはヘッドケース４の支軸で回転自在に支持された歯車２４が噛み合っている。両歯車２３，２４は同サイズであるとともに、夫々回転中心から離れた位置に偏心ピン２３ａ，２４ａがそれぞれ固定されている。
【００２２】
前記保持枠１３には、歯車２４の方向に延在する延在部１３ａが設けられており、歯車２４の偏心ピン２４ａに係合する長穴１３ｂが延在部１３ａに形成されている。また、前記刃保持枠１４には、歯車２３の方向に延在する延在部１４ａが設けられ、歯車２３の偏心ピン２３ａに係合する長穴１４ｂが延在部１４ａに形成されている。
【００２３】
リニア振動モータ５が出力部１６を介して内刃７ａ，７ｃを往復動することにより、外刃８ａ，８ｃに導入された髭が内刃７ａ，７ｃでカットされるものであり、同時に出力部１６から駆動子１９を介して内刃７ｂが往復動され、スリット外刃８ｂに導入された髭がスリット内刃７ｂでカットされる。
【００２４】
また、電動モータ２２の駆動で歯車２３，２４を相互に逆回転させる時、偏心ピン２３ａ，２４ａが偏心回転することにより、保持枠１３，１４は上記スライドガイド１３０，１４０に沿った方向に往復動を行うことになるが、スライドガイド１３０，１４０の長手方向が前述のように内刃７ａ，７ｂ，７ｃの往復動方向Ｂ及び外刃８ａ，８ｂ，８ｃが並ぶ方向Ａの両者に対して交叉する方向Ｃに延びるものとなっているために、外刃８ａ，８ｂ，８ｃはこれらが並ぶ面内において上記Ｃ方向に往復振動する。
【００２５】
この外刃８ａ，８ｂ，８ｃの振動により、内刃７ａ，７ｂ，７ｃの往復動方向に寝ている髭、内刃７ａ，７ｂ，７ｃの往復動方向と直交する髭剃り方向（髭を剃るために電気かみそりを動かす方向）において寝ている髭のいずれも起こして外刃８ａ，８ｂ，８ｃに導入し、内刃７ａ，７ｂ，７ｃで切断することができる。
【００２６】
ちなみに外刃８ａ，８ｂ，８ｃの振動で髭が起こされるのは次の理由による。すなわち、電動モータ２２による外刃８ａ，８ｂ，８ｃの往復振動に伴って、外刃８ａ，８ｂ，８ｃに接触している肌の表皮部分は引っ張られる。この時、髭の毛根付近の真皮部分は表皮部分と比べて引っ張られにくく、表皮部分と真皮部分の移動量に差ができるために、外刃８ａ，８ｂ，８ｃの振動方向Ｃ（＝Ａ＋Ｂ）に寝ている髭は、髭の寝ている方向と反対方向に表皮部分が引っ張られる時に、表皮部分のみがずれて、髭が表皮部分から絞り出されるような状態で起き上がるのである。
【００２７】
なお、外刃８ａ，８ｂ，８ｃの振動方向が内刃７ａ，７ｂ，７ｃの往復動方向Ｂと異なっているために、外刃８ａ，８ｂ，８ｃが方向Ｃに振動する時、Ｂ方向に振動する内刃７ａ，７ｂ，７ｃはＢ方向と直交するＡ方向に振られることになるが、これはリニア振動モータ５の出力部１６，１６と内刃７ａ，７ｂ，７ｃとの連結部に許されている遊びの範囲内でのことであるために問題となることはない。
【００２８】
また、外刃８ａ，８ｂ，８ｃの振動方向Ｃは、髭剃り方向方向でもあるＡ方向成分を含む動きであるために、肌方向の押し付け力をさほど弱める必要がなく、しかも内刃７ａ，７ｂ，７ｃの往復動方向Ｂの動きを含むとはいえ、Ｂ方向のストロークは小さいことから、髭を根元から切断することができる。
【００２９】
また、相互に逆方向に向けて回転する歯車２３，２４に設けられた偏心ピン２３ａ，２４ａは、１８０°異なる位置にあるために、刃保持枠１３及び外刃８ａ，８ｃと刃保持枠１４及び外刃８ｂとは逆位相でＣ方向の往復振動を行う。外刃８ａ，８ｃと外刃８ｂとが互いに接近したり離れたりするものであり、肌に押し付けた外刃８ａ，８ｂ，８ｃのこのような動きは寝ている髭を起こすことになるために、なおさら剃り残しが少なくなるものである。
【００３０】
上記実施例では、ヘッドケース４に溝状のスライドガイド１３０，１４０を直接設けているが、ヘッドケース４に対して角度を変更することができるプレートを設けて、このプレートにスライドガイド１３０，１４０を形成することで、外刃８ａ，８ｂ，８ｃの振動方向を方向Ａと方向Ｂとの間で変更することができるようにしてもよい。
【００３１】
また外刃８ａ，８ｂ，８ｃの振動用の電動モータ２２の回転数を変更できるようにして、外刃８ａ，８ｂ，８ｃの振動周波数を変更できるようにしたり、偏心ピン２３ａ，２４ａの偏心量を変えることで外刃８ａ，８ｂ，８ｃの振動ストロークを変えることができるようにするのも好ましい。
【００３２】
このほか、外刃８ａ，８ｂ，８ｃの全てを振動させているが、少なくとも一つの外刃は振動させないものであってもよい。この場合においても、外刃の振動に伴い、振動する外刃と振動しない外刃との間の距離が変化することによる髭起こし効果を得ることができる。
【００３３】
スライドガイド１３０，１４０を保持枠１３，１４側に、ガイドピン１３１，１４１をヘッドケース４側に設けてもよいのはもちろんである。
【００３４】
偏心ピン２３ａ，２４ａの動きを往復動に変換するために、保持枠１３，１４と偏心ピン２３ａ，２４ａとを保持枠１３，１４に一体に形成されて先端が偏心ピン２３ａ，２４ａに嵌合する弾性リンク片を用いることもできる。
【００３５】
他の実施の形態の一例を図４及び図５に示す。本例においては、４つの外刃８ａ，８ｂ，８ｃ，８ｄを平行並列に備えており、これら外刃８ａ，８ｂ，８ｃ，８ｄの内面に摺接する内刃７ａ，７ｂ，７ｃ，７ｄ（内刃７ｂ，７ｃについては図示せず）をリニア振動モータ５で駆動しているとともに、上記リニア振動モータ５によって外刃８ａ，８ｂ，８ｃ，８ｄも振動させることができるようにしている。
【００３６】
このために、外刃８ａ，８ｂをスライドプレート９ａで保持し、外刃８ｃ，８ｄをスライドプレート９ｂで保持している。また、ヘッドケース４上には固定台４０を設けて、固定台４０上をスライドプレート９ａ，９ｂが摺動することができるようにしている。
【００３７】
上記固定台４０は、その両端に斜めに伸びるガイド片４１，４１を備えており、両端が夫々斜辺となっている上記スライドプレート９ａ，９ｂは、ガイド片４１，４１間に配設されて、固定台４０に対し、ガイド片４１，４１で規定される方向Ｃに、つまりは内刃７ａ，７ｂ，７ｃ，７ｄの往復動方向Ｂ及び外刃８ａ，８ｂ，８ｃ，８ｄが並ぶ方向（剃り方向）Ａと交叉する方向Ｃにスライド可能となっている。
【００３８】
そしてこの電気かみそりにおいては、リニア振動モータ５が内刃７ａ，７ｂ，７ｃ，７ｄをＢ方向に往復動させる時、内刃７ａ，７ｂ，７ｃ，７ｄの動きにつられて外刃８ａ，８ｂ，８ｃ，８ｄもＢ方向に動こうとするが、この動きは固定台４０のガイド片４１，４１による規制で外刃８ａ，８ｂ，８ｃ，８ｄが並ぶ面内でのＣ方向への動きとなる。
【００３９】
この場合においても、Ｂ方向に振動する内刃７ａ，７ｂ，７ｃ，７ｄはＢ方向と直交するＡ方向に振られることになるが、これはリニア振動モータ５と内刃７ａ，７ｂ，７ｃ，７ｄとの連結部に許されている遊びの範囲内でのことであるために問題となることはない。
【００４０】
なお、内刃７ａ，７ｂと内刃７ｃ，７ｄとはリニア振動モータ５における逆位相で往復動を行う２つの出力部１６，１６に夫々連結されるものであり、内刃７ａが内面に接する外刃８ａ及び内刃７ｂが内面に接する外刃８ｂと、内刃７ｃが内面に接する外刃８ｃ及び内刃７ｄが内面に接する外刃８ｄとは、異なるスライドプレート９ａ，９ｂ上に設けられていることから、両スライドプレート９ａ，９ｂは上記Ｃ方向の動きを逆位相で行う。このために、本実施形態のものにおいては、外刃８ａ，８ｂと外刃８ｃ，８ｄとは接近したり離れたりの動きを行うことになる。
【００４１】
また、図６に示すように、スライドプレート９ａ，９ｂと固定台４０との間に、スライドプレート９ａ，９ｂのＣ方向についての振動の共振周波数を設定するためのばね４２，４２を設けて、この共振周波数付近でスライドプレート９ａ，９ｂの上記Ｃ方向振動がなされるようにすれば、外刃８ａ，８ｂ，８ｃの安定した振動を得ることができる。
【００４２】
殊にリニア振動モータ５への入力電流Ｉを、図７に示すように、内刃７ａ，７ｂ，７ｃの振動周波数（例えば２３３Ｈｚ）αに、外刃８ａ，８ｂ，８ｃの振動周波数で且つ上記共振周波数（例えば１０Ｈｚ）βを重畳させたものとすれば、外刃８ａ，８ｂ，８ｃの振動を更に安定化させることができる。
【００４３】
なお、周波数の重畳については、ばね４２がないものにおいても有効である。内刃７ａ，７ｂ，７ｃ，７ｄの動きにつれて外刃８ａ，８ｂ、８ｃ、８ｄもＣ方向に動こうとする時、重畳された波形の影響で重畳された周波数で振幅が大きくなるからである。
【００４４】
なお、本実施形態の場合、内刃７ａ，７ｂ，７ｃの往復動が外刃８ａ，８ｂ，８ｃを同方向に動かそうとする力を利用するものであるために、内刃７ａ，７ｂ，７ｃの駆動源がリニア振動モータ５に限定されるものでない。
【符号の説明】
【００４５】
１  電気かみそり
５  リニア振動モータ
７ａ，７ｂ，７ｃ  内刃
８ａ，８ｂ，８ｃ  外刃
Ｂ  内刃往復動方向
Ｃ  外刃振動方向
【図１】
2011200602.tif 000003
【図２】
2011200602.tif 000004
【図３】
2011200602.tif 000005
【図４】
2011200602.tif 000006
【図５】
2011200602.tif 000007
【図６】
2011200602.tif 000008
【図７】
2011200602.tif 000009